(57)【特許請求の範囲】
【請求項１】
長さが延伸，収縮できる延伸・収縮自在棒は，金属製または樹脂製の太パイプがあり，更にその太パイプの内径より細い金属製または樹脂製細パイプが入る多段構造で， 
細パイプの円周の面に対し垂直でかつ対角上に２つの長穴があけられており，その長穴と同じ高さに内部にスプリングが仕込まれ，スプリングの両端，すなわち，ストッパーの長穴部には金属製ないし樹脂製のノッチが組み込まれており， 
また，太パイプの先端に円筒状の金属製ないしは樹脂製のホルダーが取付けられ，この円筒状のホルダーの内径に正三角形を描きその図形の各辺の水平上に辺の長さの長穴が開けられ， 
辺の長さにすることにより長穴と長穴の間には必ず凸状部が３カ所でき，長穴の高さは前記のノッチが入る高さに設定し， 
細パイプを引き出した時に細パイプの対角上の長穴とホルダーの長穴の高さが一致した時に，スプリングの力により対角上のどちらかのノッチがホルダーの長穴に入ることにより， 
細パイプと太パイプがロックされる機構を特徴とする伸縮自在棒。
【請求項２】
請求項１の延伸機能を持った棒は，収縮する際は細パイプを太パイプ方向へ押しながら回すことによって， 
ホルダーの長穴と長穴の間にできる凸状部に差し掛かった時にストッパーのノッチはストッパーの細パイプ長穴中に入り，ホルダーの内径とストッパーの外径の差によって生じる細パイプの傾斜によってそのままノッチはストパーの長穴内に入った状態を維持しつつ， 
更に回すことによって反対側のノッチもホルダーの長穴と長穴の間の凸状部で中に押し込められて，
ロックが解除され細パイプが太パイプ内に収縮される伸縮自在棒。
【発明の詳細な説明】
【技術分野】
【０００１】
本発明は，警察や警備業で使用する伸縮機能を備えた警棒について，延伸時や収縮時の新たなロック機構を提案するものである。 
【背景技術】
【０００２】
警棒は，警察や警備の業務において必需品である。しかし，警棒本体が軽量でなければ相手に必要以上にダメージを与えてしまうことにより過剰防衛となり逆に警察や警備員が罪に問われかねず，なるべく軽量にすることが望ましい。 
そして，警棒は，一定の長さが必要であるが常時長い状態で携行するには不便であり，現在主流となっているのが伸縮式の警棒である。 
【０００３】
警棒は，伸縮させるためには何らかの機構が必要であるが，先行特許文献１から４，非特許文献１から３のように複雑な機構にすると，部品製作に高度な技術が必要であることと組立が難しくなることにより価格が高騰し，また，部品点数が増えるに比例して重量が増すという欠点がある。 
本件発明は，精密な部品加工を必要とせず，また部品点数が少なく，かつ，強固な警棒のロックと解除の機構を提案するものである。 
そして，この技術により，軽量で低価の警棒の供給を目的とするものである。 
【先行技術文献】
【特許文献】
【０００４】
【特許文献１】特許第２９７０９００号公報
【特許文献２】特許第４３０１４６０号公報
【特許文献３】特許第３２０２４５９号公報
【特許文献４】特許第３０８７９５４号公報
【非特許文献】
【０００５】
【非特許文献１】特開２０１７−１２０１６６号
【非特許文献２】特開２０１０−２１４９号
【非特許文献３】実用新案登録番号第３００７６８０号
【発明の概要】
【発明が解決しようとする課題】
【０００６】
警棒は，伸縮式のためにするには延伸させてロックさせ，また，そのロックを解除して収縮させるための何らかの機構が必要になる。しかし，先行技術文献のように機構を複雑にすると重量が増すという警棒が軽量で相手に必要以上にダメージを与えるべきではないとの目的との背反が生じるし，構造が複雑であれば，部品が精密になり製造費と組立費も高騰することになる。 
そこで，本件では，簡素な機構を考案するものである。 
【課題を解決するための手段】
【０００７】
本体の寸法は，法令や条例によりそれに合致する必要があるが，本発明の説明に当たっては，外径が２６ｍｍ，延伸時のパイプが１９ｍｍとして説明することとする。 
本体は，アルミ製またはアルミ合金製の外径２６ｍｍ，内径２１ｍｍの太パイプ５とアルミ製またはアルミ合金製の外径１９ｍｍの細パイプ２の多段構造を呈しており，細パイプ２の後部に取付けられたアルミ製またはアルミ合金製若しくは鉄製ないしは樹脂製のストッパー４がある。そして，細パイプの先端には先端ゴム２ａが取付けられている。 
また，太パイプの先端は，ホルダー１が取付けられており，ストッパー４とホルダー１が接触することにより細パイプを延伸させた時に延伸を止め細パイプが抜けるのを防止する役割を果たす。 
【０００８】
ホルダー１（図１）は，アルミ製またはアルミ合金製若しくは鉄製ないしは強化樹脂製で，図９のように内径１９．５ｍｍに正三角形を描き，その三角形の各辺の平面上の先に図１にあるように高さ５．８５ｍｍ，長穴の両端から両端は１６．８５ｍｍの穴が３ヶ所あけられている。 この長穴１ｂの長さは，三角形の辺の長さと等しくストッパー３の長穴４ａの長さより長くなければならない。 
また，長穴の高さは，図３のノッチ３の高さ５．７０ｍｍとしたとき，この高さに対してプラスの寸法の大きさで開けられていなければならない。そして，この時，三角形の各辺の水平上にあけられた長穴１ｂと長穴１ｂの間には凸状部１ａが3ヶ所，形成される。 
ホルダー１は，太パイプ５の先端に組付け回り止めとしてビスまたは止めネジ７を取り付ける。 
【０００９】
ストッパー４（図１１）の外径は，Ｔ字型の円筒2段構造になっており，１段目は５の太パイプの内径の０．５ｍｍ程度の小さい径の外径２０．５ｍｍで，かつ，ホルダー１の内径の１９．５ｍｍより大きい径で製作されており，これを径１とする。 
2段目はホルダー１の内径より０．５ｍｍ程度小さい細パイプ２と同じ外径の１９．０ｍｍで製作されており，これを径２とする。 
【００１０】
ストッパー４は，ストッパーの円筒状の面に対して垂直状に長穴４aが対角上に開けられ内部は空洞で，その内部に圧縮タイプのスプリング６が仕込まれ，このスプリングの高さは長穴４ａと同じ高さで，かつ，スプリングの両端は対角上の長穴４ａ内側部分にあてる。 
このスプリングの両端は，すなわち，ストッパー４の長穴４ａに長穴４ａの形状よりマイナス寸法で製作されたノッチ３（図３）を両端の長穴４ａに入れ，細パイプ２に組付け，５の太いパイプ内に組み込む（図４）。 
【００１１】
ノッチ３の裏面には，このスプリングを受ける円筒状の突起部がある。ノッチ３の表面は，ストッパーの外周に沿うようにRの形状が付けられているが，このRの大きさは，３のホルダーの内径の８０％程度のRであり，ストッパーの外径の半径より小さくする。 
【００１２】
ノッチの奥行は，スプリング受けを除く部分ついて最大部分がストッパー４の肉厚（外径１９．０ｍｍ−内径１４．０ｍｍ）÷２＝２．５ｍｍを最小として，それより大きくなければならない。本図３で示すのは最大部分を４．７５ｍｍとした。 
ストッパーの肉厚が最小とするその理由は，ロックを掛けた際にノッチがこのストッパーの肉厚でノッチ３を受けることによりロックを掛けることができるようにするためである。仮にノッチの長さが肉厚より短い場合は，ノッチはロックを掛けることができない。 
そして，このRをホルダー１の内径より小さくするのは，警棒を収縮させる際にノッチ5を凸状部１aに当たった際にスムーズにストッパー４の長穴４a内に戻すためである。 
更に，このノッチの上部は，角を取ることにより警棒の延伸時にホルダー１と接触して延伸を止めるのを防ぐため逃がしを付けて，これを防止し延伸を妨げないようにする。 
【実施例】
【００１３】
通常，警棒を使用しない時は，図２の収縮時の通りである。使用するときは，先端の２ａを持って太パイプ５と反対方向に引っ張り延伸させる。 
警棒は，２ａを持ち延伸させた時に，径１は，ホルダー１の下部１ｃに当たり細パイプ２の延伸は止まる。このときノッチ３は，ホルダー１の長穴１ｂにスプリング６の押し出す力によってホルダー１の長穴１ｂにノッチ３が入り細パイプはロックされる。 
【００１４】
仮に当初の案でもあるが，ホルダーが図１０のようホルダーの対角上に長穴が開いていた場合，長穴と長穴の間の凸状部にノッチが来ると両サイドのノッチ３がホルダー長穴１ｂに入ることができずロックすることができない。 
本発明の最も優れた特徴は，このホルダー長穴１ｂと長穴１ｂの間の凸状部にノッチが来ても必ず反対側のノッチは，ホルダー長穴１ｂに入りロックすることができるというものである（図６）。 
【００１５】
この点について，先行文献１と先行文献２は，ロック板が回転させることにより半球突起物により嵌合い状態が解除されるとされるが，延伸時にロック板が半球突起物の所に来た場合，ロックができないと解する。したがって，本件，発明は，この点において，先行文献より優れていると考える。 
【００１６】
これを実現するためには，ホルダー上部から見た時に，図９にあるように内径に三角形を描きその三角形の各辺の水平上に開けた長穴でなければ，どこにノッチ３が来てもノッチが入るという条件を作り出すことはできないのである。 
奇数の図形ならば何れも可能であるが，警棒は，法令や規則，条例により太さの上限が決められており太い警棒は使用できないため，三角形以上の多角形にしても製造が難しくなってしまい現実的ではない。 
【００１７】
ロックを解除するときは，細パイプ２を太パイプ５方向へ押しながらどちらかの方向へ回した時，片方のノッチはホルダー長穴１ｂと長穴１ｂの間の凸状部分１ａで中へ押された状態であり，更に１へ押しながら入れることで，この時，ホルダー１の内径とストッパー４の径２の外径との遊び（隙間）でストッパー４がやや傾き中へ押されノッチがそのままストッパーの長穴４a内に入りホルダー長穴１ｂの下に入り込み再度ロックが掛かることを防ぐ。 
更に細パイプ２を１へ押しながら回すことで，反対側のノッチも長穴１ｂと長穴１ｂの間の凸状の部分でノッチがストッパー４の長穴４a内へ押し込められロックが完全に解除されて細パイプ２が太パイプ５の中へ押し込まれるという仕組みである。 
【産業上の利用可能性】
【００１８】
警察や警備業で使用する警棒が，軽量で操作性が簡便かつ製造コストを下げた警棒の提供が可能となる。 
【図面の簡単な説明】
【００１９】
【図１】本発明に係る特徴的な形状をしたホルダー図面
【図２】警棒の延伸時と収縮人の図とそれぞれの符号を示した図
【図３】図１のホルダーの長穴に入りロックさせるためのノッチの図面
【図４】警棒の組立て案内図
【図５】警棒を上から見た時に図６の断面方向を示した図面
【図６】図５で示した断面方向の断面図
【図７】図８の断面方向を示した図
【図８】図７で示した断面方向の断面図
【図９】図１のホルダーの内径に正三角形を描いた図
【図１０】ホルダーに対角上に長穴をあけた図（参考）
【図１１】ストッパーの図面
【符号の説明】
【００２０】
１  ホルダー 
２  細パイプ 
３  ノッチ 
４  ストッパー 
５  太パイプ 
６  スプリング 
７  止めネジ 
１ａ  ホルダー１の長穴間の凸状部 
１ｂ  ホルダー長穴 
２ａ  細パイプ先端ゴム 
４ａ  ストッパー長穴 
【要約】 
多段式の警棒のロック機構を内部で完結させ，しかも，簡易な方法により実現できる新たなロック機構と解除機構で警棒の価格の低価にも貢献できるものである。 
【課題】 
警察に納入する警棒は，競争入札で低価の金額を提示した業者が受注するが，その価格は１本あたり７，０００円から９，０００円であり，先行特許文献の仕組みでは利益を出すのは難しく簡易な機構の提案が必要である。 
また，警棒を伸縮式のためにするには，伸縮させてロックさせ，また，そのロックを解除して収縮させるための何らかの機構が必要になる。しかし，先行技術文献のように機構を複雑にすると重量が増すという前記の軽量であるべきとの目的との背反が発生するし，構造が複雑になれば製造費も高騰することになる。そこで，本件では，簡素な機構を考案するものである。 
【解決手段】 
本件の警棒は，太パイプの先端に取付けるホルダーの内周に三角形を描き，その三角形の各辺の水平上に三角形の辺の長さの長穴をあける。そして，太パイプ内に入る細パイプには円筒状ストッパーが取付けられており，このストッパーの円周面に対して垂直でかつ対角上に２つの長穴が開けられ，ストッパー内部には，ストッパー長穴の高さにスプリングが仕込まれ，その両端にはノッチが組み込まれ，警棒を延伸させた時にストッパーとホルダーが接触したときにストッパーのノッチがホルダーの長穴に入ることによりロックされる機構である。 
解除するときは，ホルダーの長穴と長穴の間にできる凸状部によりノッチが中に入り解除することができる。 
【選択図】図６【図１】
0006916432.tif 000002
【図２】
0006916432.tif 000003
【図３】
0006916432.tif 000004
【図４】
0006916432.tif 000005
【図５】
0006916432.tif 000006
【図６】
0006916432.tif 000007
【図７】
0006916432.tif 000008
【図８】
0006916432.tif 000009
【図９】
0006916432.tif 000010
【図１０】
0006916432.tif 000011
【図１１】
0006916432.tif 000012